(57)【要約】【課題】導光ミラーの側面で反射された迷光が感光体ドラムに導びかれて画像品質を劣化させることを防ぐことができる走査光学装置を提供する。【解決手段】光源から放射されたビーム光束を偏向走査する偏向器と、偏向器で偏向走査された有効画像領域内のビーム光束を被走査面に導く結像光学系と、偏向器で偏向走査された有効画像領域外のビーム光束を反射して検出素子に導く立体形状の導光ミラー２８を有する検出光学系と、を備え、導光ミラー２８は、その反射面に垂直な回転軸を中心として回転することによって、反射面に隣接する側面と偏向後の走査平面内で像高中心の光軸に垂直な線分とが交差している。【選択図】      図５
2010048856.tif 000002
【特許請求の範囲】
【請求項１】
光源から放射されたビーム光束を偏向走査する偏向器と、該偏向器で偏向走査された有効画像領域内のビーム光束を被走査面に導く結像光学系と、前記偏向器で偏向走査された有効画像領域外のビーム光束を反射して検出素子に導く立体形状の導光ミラーを有する検出光学系と、を備えた走査光学装置において、
前記導光ミラーは、その反射面に垂直な回転軸を中心として回転することによって、前記反射面に隣接する側面と偏向後の走査平面内で像高中心の光軸に垂直な線分とが交差していることを特徴とする走査光学装置。
【請求項２】
前記導光ミラーは、前記回転軸を中心とする回転角をα、前記導光ミラー側面へのビーム光線の入射角度をθ、前記導光ミラーと前記被走査面の接近側端部との距離をＭ、前記導光ミラーと前記被走査面との距離をＬ、としたとき、
（９０−θ）−α＞ａｒｃ  ｔａｎ（Ｌ／Ｍ）
α＞（９０−θ）−ａｒｃ  ｔａｎ（Ｌ／Ｍ）
で表される回転角αであることを特徴とする請求項１に記載の走査光学装置。
【請求項３】
前記導光ミラーは、前記回転軸を中心とする回転角をα、前記導光ミラー側面へのビーム光線の入射角度をθ、前記導光ミラーと前記被走査面の離間側端部との距離をＭ’、前記導光ミラーと前記被走査面との距離をＬ、としたとき、
（９０−θ）＋α＞ａｒｃ  ｔａｎ（Ｌ／Ｍ’）
α＞ａｒｃ  ｔａｎ（Ｌ／Ｍ’）−（９０−θ）
で表される回転角αであることを特徴とする請求項１に記載の走査光学装置。
【請求項４】
前記導光ミラーの前記反射面は多角形状の平面であることを特徴とする請求項１乃至請求項３の何れかに記載の走査光学装置。
【発明の詳細な説明】
【技術分野】
【０００１】
本発明は、電子写真方式を応用した複写機・プリンタ・ファクシミリ、或いはこれらを機能的に備えた複合機等の画像形成装置に搭載される走査光学装置に関し、特に、画像劣化の一因となる迷光の除去に関するものである。
【背景技術】
【０００２】
従来から、電子写真方式の画像形成装置には、感光体ドラムに潜像を形成するために、光源から放射されたレーザ光等のビーム光束を偏向器で走査させる走査光学装置が搭載されている。
【０００３】
この際、走査光学装置が走査するビーム光束には、感光体ドラムに潜像を形成するための有効画像領域内のビーム光束と、検出素子にビーム光束を導いてデータ書き出しタイミングの同期制御信号を発生させるための有効画像領域外のビーム光束と、が存在する。
【０００４】
通常、検出素子にビーム光束を導光するためには、ある程度の厚さを備えた立体形状の導光ミラーが使用される。
【０００５】
この際、有効画像領域を走査する結像光学系の光路と検出素子を走査する検出光学系の光路とは十分離れているため、これら２つの光路を分離するための導光ミラーは有効画像領域を走査する光路から離して設置することができる。
【０００６】
図８は、このような従来に係る光走査装置の一例を示し、ビーム光束を放射するレーザダイオード等の光源５１と、光源５１からのビーム光束をカップリングして平行光束とするコリメートレンズ５２と、コリメートレンズ５２を透過したビーム光束を主走査方向に長く略線状に集光させるように副走査方向にのみ正のパワーを持つシリンドリカルレンズ５３と、シリンドリカルレンズ５３からのビーム光束を偏向する偏向器としての回転多面鏡５４と、回転多面鏡５４によって偏向走査したビーム光束を被走査面としての感光体ドラム５５上に結像する結像光学系５６と、回転多面鏡５４によって偏向走査したビーム光束の一部を利用して走査同期を検出する検出素子５７へと導く検出光学系５８とを備えている。
【０００７】
結像光学系５６は、ｆθ特性を有するように主走査方向に延びる複数のレンズ群（結像レンズ）を備え、例えば、回転多面鏡５４側に凹面を有する正メニスカスレンズ５９と、走査面側に凸球面を有し且つ主走査方向に正のパワーを有する面倒れ補正用のアナモルフィックレンズ６０と、によってｆθレンズ６１を構成している。また、結像光学系５６は、ｆθレンズ６１を透過したビーム光束を感光体ドラム５５に向けて反射する斜設ミラー６２を備えているが、この斜設ミラー６２の数や角度は任意である。
【０００８】
検出光学系５８は、回転多面鏡５４の鏡面に入射したビーム光束の一部を反射するように有効画像領域の外側に配置した導光ミラー６３を備え、この導光ミラー６３で反射したビーム光束に基づいて検出素子５７の受光タイミングを図示しない制御回路で検出することで同期が図られる。
【０００９】
検出素子５７は、検出光学系５８の光路上で感光体ドラム５５と共役関係な位置に配備されており、光源５１から放射されて回転多面鏡５４で偏向されたビーム光束は、結像光学系５６によって走査領域へ向かって偏向するが、走査領域へ向かう途上においてｆθレンズ６１を構成する一方の正メニスカスレンズ５９を介して導光ミラー６３で反射され、検出素子５７に入射する。
【００１０】
しかしながら、低コスト・省サイズ化する近年の走査光学装置では、光学設計スペースが少なくなり、上述した２つの光路を分離するための導光ミラー６３を、有効画像領域を走査する光路に近接して設置せざるを得なくなってきた。
【００１１】
この場合、導光ミラー６３が有効画像領域の光路を遮ることを防ぐため、導光ミラー６３の端で２つの光路を分離している。
【００１２】
一方、光源５１から放射されたビーム光束が感光体ドラム５５又は検出素子５７へと到達する前に、保持部材等に反射或いは散乱して迷光が発生した結果、感光体ドラム５５上にその迷光が照射されてゴーストとなって画質を低下させることを防ぐために、反射防止部材（図示せず）を設置する技術が知られている（例えば、特許文献１参照）。
【特許文献１】特開２００２−２７７７８６号公報
【発明の開示】
【発明が解決しようとする課題】
【００１３】
ところが、上記の如く構成された走査光学装置にあっては、有効領域内外のビーム光束を導光ミラー６３で２つに分離する場合、図７に示すように、導光ミラー６３の側面でビーム光束の一部がケラれた状態で導光ミラー６３の反射面で反射されたビーム光束が検出素子５７に反射されることになる。
【００１４】
従って、導光ミラー６３の側面で反射（ケラれた）されたビーム光束が迷光となり、感光体ドラム５５に照射される虞がある。
【００１５】
これを防ぐため、反射防止部材を設置することも考えられるが、２つの光路が近接しており、しかも、光学設計スペースが限られた筐体の中では、反射防止部材を設置することは非常に困難で、しかも、部品コストが高騰するといった問題も生じてくる。
【００１６】
そこで、本発明は、上記事情を考慮し、導光ミラーの側面で反射された迷光が感光体ドラムに導びかれて画像品質を劣化させることを防ぐことができる走査光学装置を提供することを目的とする。
【課題を解決するための手段】
【００１７】
本発明の走査光学装置は、光源から放射されたビーム光束を偏向走査する偏向器と、該偏向器で偏向走査された有効画像領域内のビーム光束を被走査面に導く結像光学系と、前記偏向器で偏向走査された有効画像領域外のビーム光束を反射して検出素子に導く立体形状の導光ミラーを有する検出光学系と、を備えた走査光学装置において、前記導光ミラーは、その反射面に垂直な回転軸を中心として回転することによって、前記反射面に隣接する側面と偏向後の走査平面内で像高中心の光軸に垂直な線分とが交差していることを特徴とする。
【００１８】
この際、前記導光ミラーは、前記回転軸を中心とする回転角をα、前記導光ミラー側面へのビーム光線の入射角度をθ、前記導光ミラーと前記被走査面の接近側端部との距離をＭ、前記導光ミラーと前記被走査面との距離をＬ、としたとき、
（９０−θ）−α＞ａｒｃ  ｔａｎ（Ｌ／Ｍ）
α＞（９０−θ）−ａｒｃ  ｔａｎ（Ｌ／Ｍ）
で表される回転角αとするのが好ましい。
【００１９】
また、前記導光ミラーは、前記回転軸を中心とする回転角をα、前記導光ミラー側面へのビーム光線の入射角度をθ、前記導光ミラーと前記被走査面の離間側端部との距離をＭ’、前記導光ミラーと前記被走査面との距離をＬ、としたとき、
（９０−θ）＋α＞ａｒｃ  ｔａｎ（Ｌ／Ｍ’）
α＞ａｒｃ  ｔａｎ（Ｌ／Ｍ’）−（９０−θ）
で表される回転角αとするのが好ましい。
【００２０】
さらに、前記導光ミラーの前記反射面は多角形状の平面であるのが好ましい。
【００２１】
尚、上述した導光ミラーと被走査面との距離は、被走査面の前面側に配置された光学部材を基準とすることも可能である。
【発明の効果】
【００２２】
本発明の走査光学装置は、導光ミラーの側面で反射された迷光が感光体ドラムに導びかれて画像品質を劣化させることを防ぐことができる。
【発明を実施するための最良の形態】
【００２３】
次に、本発明の一実施形態に係る走査光学装置を画像形成装置に適用し、図面を参照して説明する。
【００２４】
図１は本発明の一実施形態に係る走査光学装置を搭載した画像形成装置の説明図、図２は本発明の一実施形態に係る走査光学装置における光学系の説明図、図３は本発明の一実施形態に係る走査光学装置を搭載した画像形成装置の画像形成部の説明図、図４は本発明の一実施形態に係る走査光学装置における導光ミラーの回転状態を示し、図４（Ａ）は斜視図、図４（Ｂ）は側面図、図４（Ｃ）は正面図、図５は本発明の一実施形態に係る走査光学装置における光学系の作用説明図、図６は本発明の一実施形態に係る走査光学装置における光学系の他の作用説明図である。
【００２５】
図１に示すように、画像形成装置１は、本体２の内部下方に引き出し可能に配置されて印刷前の転写紙（図示せず）が積載収容される給紙カセット３と、給紙カセット３に積載収納された転写紙を最上位のものから１枚ずつ分離搬送する給紙搬送部４と、給紙カセット３とは別に本体２の側壁面から起倒可能に設けられて転写紙（図示せず）が積載収容可能な手差トレイ５と、手差トレイ５に積載収納された転写紙を最上位のものから１枚ずつ分離搬送する手差給紙搬送部６と、本体２の底面に設置されたオプション等の追加給紙カセット（図示せず）に積載収納された転写紙が搬送される給紙搬送部７と、各給紙搬送部４，６，７から搬送された転写紙に転写するための画像を形成する画像形成部８と、画像形成部８で形成された画像を転写紙に転写する二次転写部９と、転写後のトナー像を転写紙に定着させる定着部１０と、本体２の天面として共有すると共に排出部１１から排出された定着後の転写紙を積載する積載部１２と、転写紙の裏面に画像形成を行う場合に二次転写部９へと転写紙をスイッチバックする反転経路１３と、を備えている。
【００２６】
画像形成部８では、例えば、外部コンピュータ（図示せず）等から送信された印刷データを受信し、その印刷データに含まれる画像データがレーザ照射部１４で受信・処理される。
【００２７】
レーザ照射部１４は、画像データに基づいて制御されたレーザ光Ｑを、ベルト状の中間転写体１５の下方にタンデム方式で配置された複数の（各色用の）画像形成デバイス１６の各感光体ドラム１７に向かって照射する。
【００２８】
具体的には、レーザ照射部１４は、図２に示すように、レーザダイオード等の光源（図示せず）から放射されたビーム光束（光軸で示すレーザ光Ｑ）を偏向する偏向器としての回転多面鏡１８と、回転多面鏡１８を回転させるモータ１９と、回転多面鏡１８によって偏向走査したビーム光束を感光体ドラム１７に結像する結像光学系２０と、回転多面鏡１８によって偏向走査したビーム光束の一部を利用して走査同期を検出する検出素子２１へと導く検出光学系２２とを備えている。
【００２９】
中間転写ベルト１５は、複数のローラに巻き掛けられて支持され、図示しない駆動装置により所定方向に回動移動（図１の矢印参照）する。また、中間転写ベルト１５は、合成樹脂からなる基層表面にゴム層を積層した弾性ベルトで構成される。
【００３０】
各画像形成デバイス１６は、中間転写ベルト１５の回動移動方向に沿うように、回動移動方向上流側から下流側に向けて一列にタンデム方式で配置されている。この４台の画像形成デバイス１６は、例えば、上流側から順に、マゼンタ用、シアン用、イエロー用、ブラック用の順に配置され、これらの画像形成デバイス１６には、各色に対応する現像剤供給容器及び搬送手段（図示せず）により、現像剤（トナー）が補給される。
【００３１】
各感光体ドラム１７は、露光手段であるレーザ照射部１４によって照射されたレーザ光Ｑにより原稿画像の静電潜像が形成され、この静電潜像からトナー像が現像される。また、そのトナー像は、中間転写ベルト１５を挟んで各感光体ドラム１７の上方に配置された一次転写ローラ２９で、中間転写ベルト１５表面に一次転写される。そして、中間転写ベルト１５の回動移動によって、所定のタイミングで各感光体ドラム１７のトナー像が中間転写ベルト１５に転写されることにより、中間転写ベルト１５表面には画像データに応じたマゼンタ・シアン・イエロー・ブラックの４色のトナー像が重ね合わされたカラートナー像が形成される。
【００３２】
一方、二次転写部９は二次転写ローラ３０を備え、中間転写ベルト１５の表面に形成されたカラートナー像は、中間転写ベルト１５と二次転写ローラ３０との圧接に伴う転写紙のニップ搬送時の転写バイアスの印加によって転写される。
【００３３】
この際、二次転写後の、中間転写ベルト１５の表面に残留する未定着トナー等の付着物は、二次転写部９とは反対側に配置されたクリーニングデバイス３１によってクリーニングされる。
【００３４】
定着部１０は、二次転写部９にて未定着トナー像を担持した転写紙を、加熱ローラ（又は加熱ベルト）３２と加圧ローラ（又は加圧ベルト）３３とのニップ搬送によってトナー像を加熱・加圧して定着する。
【００３５】
画像形成デバイス１６は、本実施の形態においては、マゼンタ・シアン・イエロー・ブラック用として実質的に同一のものが用いられており、図３に示すように、その中心に像担持体としてのドラム状の感光体ドラム１７を備えている。
【００３６】
感光体ドラム１７の近傍には、その回転方向に沿って、帯電デバイス３４、現像デバイス３５、除電デバイス３６、クリーニングデバイス３７が配置されている。尚、一次転写ローラ２９は、感光体ドラム１７の回転方向に沿って、現像デバイス３５と除電デバイス３６との間に設けられている。
【００３７】
感光体ドラム１７は、本体２内の転写紙搬送方向と直角な転写紙幅方向（図３の紙面奥行き方向）に沿い且つ水平方向に軸線が延びて配置されている。尚、本実施の形態においては、感光体ドラム１７は、アルミニウム等により構成される導電性円筒状基体の外側に真空蒸着等によって無機光導電性材料であるアモルファスシリコンの感光層を設けたものが用いられている。尚、感光体ドラム１７は、例えば、感光性樹脂を浸漬塗布した有機感光体（ＯＰＣ）であっても構わない。
【００３８】
帯電デバイス３４は、ハウジング３８の内部に、感光体ドラム１７に接触する帯電ローラ３９を備えている。
【００３９】
帯電ローラ３９は、所定の圧力で感光体ドラム１７に圧接し、感光体ドラム１７の回転に従って回転する。また、帯電ローラ３９は感光体ドラム１７の表面を所定の極性及び電位で一様に帯電する。さらに、帯電ローラ３９の表面は、ハウジング３８内に配置されたクリーニングブラシ４０によってクリーニングされる。
【００４０】
現像デバイス３５は、そのハウジング４１の内部に、現像ローラ４２と、供給スクリュー４３，４４とを備えている。
【００４１】
現像ローラ４２は、現像方式が接触或いは非接触であって、感光体ドラム１７の近傍に設けられている。また、現像ローラ４２には、感光体ドラム１７の帯電極性と同極性のバイアスが印加される。この現像ローラ４２により、現像剤であるトナーが帯電せしめられるとともに、感光体ドラム１７の表面の静電潜像に移動せしめられ、静電潜像が現像される。
【００４２】
尚、現像デバイス３５は、現像剤として、磁性キャリアと非磁性トナーとを混合してなる二成分系トナーを使用するが、磁性或いは非磁性の一成分系トナーを使用するタイプのものであっても構わない。また、感光体ドラム１７の表面を研磨するようにしてクリーニングするために、微量の酸化チタンやアルミナ等の粉末を研磨剤としてトナーに混入している。トナーは、トナー供給容器（図示せず）に収容され、現像デバイス３５の箇所まで図示しない搬送手段により搬送されて、供給スクリュー４３，４４によりハウジング４１の内部に補給される。
【００４３】
除電デバイス３６は、感光体ドラム１７の回転方向に沿って、一次転写ローラ２９の下流側に配置されている。また、除電デバイス３６には、ＬＥＤ（発光ダイオード）等が用いられ、必要に応じて反射板４５とで構成されている。また、除電デバイス３６は、クリーニングデバイス３７のハウジング４６の上面に取り付けられている。尚、除電デバイス３６は、ＬＥＤの代わりに、ＥＬ（エレクトロルミネッセンス）光源、蛍光灯等を用いることもできる。また、反射板４５は、除電デバイス３６の上方に、除電デバイス３６をカバーするように設けられている。除電デバイス３６は、除電デバイス３６の除電光を感光体ドラム１７に照射することにより、その表面の帯電電荷を除去し、次回の画像形成動作時における帯電工程のための準備を整える。
【００４４】
クリーニングデバイス３７は、感光体ドラム１７の回転方向に沿って、除電デバイス３６よりもさらに下流側に配置されている。また、クリーニングデバイス３７は、そのハウジング４６の内部に、回転部材であるクリーニングローラ４７、クリーニングブレード４８、トナー受け部材４９、排出スクリュー５０を備えている。
【００４５】
クリーニングローラ４７は、ハウジング４６内の上部において、その軸部の両端に備えられた図示しない付勢手段により、感光体ドラム１７に対して所定の力で押し付けられて設けられている。また、クリーニングローラ４７は、感光体ドラム１７とほぼ同じ軸線方向長さ（幅）を有している。さらに、クリーニングローラ４７は、モータ等で構成される図示しない駆動手段により回転される。この際、クリーニングローラ４７の周速度は、感光体ドラム１７の表面研磨を効率良く実施するように設定される。
【００４６】
クリーニングブレード４８は、クリーニングローラ４７の感光体ドラム１７の回転方向下流側であって、ハウジング４６内におけるクリーニングローラ４７に対して、上下方向下側に配置され、感光体ドラム１７の表面に形成されたトナー像のうち、中間転写ベルト１５に転写されずに感光体ドラム１７に残留したトナー等の付着物を掻き取るようにクリーニングする役割を果たす。また、クリーニングブレード４８は、図示しない付勢手段により感光体ドラム１７に対して所定の力で押し付けられて設けられている。
【００４７】
トナー受け部材４９は、クリーニングローラ４７の直下であって、クリーニングブレード４８と排出スクリュー５０との間に配置されている。トナー受け部材４９は、例えば、ステンレス（ＳＵＳ）製の薄い板状の部材を折り曲げるなどして構成され、クリーニングブレード４８近傍からクリーニングローラ４７回転方向の下流側に向かって、クリーニングローラ４７の周面に沿って延びる樋状をなし、クリーニングローラ４７の軸線方向長さとほぼ同じ長さを有している。
【００４８】
そして、このトナー受け部材４９は、その上部の箇所を残して、ハウジング４６内において、クリーニングローラ４７及びクリーニングブレード４８が配置された空間と、排出スクリュー５０が設けられた空間とを仕切り、感光体ドラム１７表面から除去したトナーをクリーニングローラ４７の周面近傍の空間に貯留し易くなるような形にして設けられている。
【００４９】
尚、トナー受け部材４９には、アース線のような接地部材が接続され、トナー受け部材４９及びトナー受け部材４９の内側に貯留されたトナーから電荷を除去する。
【００５０】
排出スクリュー５０は、ハウジング４６内において、クリーニングローラ４７の下方に設けられている。また、排出スクリュー５０は、ハウジング４６の内部から画像形成デバイス１６の外部に設けられた廃トナー回収容器（図示せず）まで延在され、感光体ドラム１７の表面から除去されてクリーニングに使用されたハウジング４６内の廃トナー等をハウジング４６の外へ、すなわち廃トナー回収容器へ排出する役割を果たす。
【００５１】
ところで、上述した光源と回転多面鏡１８との間には、光源からのビーム光束をカップリングして平行光束とするコリメートレンズ（図示せず）と、このコリメートレンズを透過したビーム光束を主走査方向に長く略線状に集光させるように副走査方向にのみ正のパワーを持つシリンドリカルレンズ（図示せず）と、を備えた照明光学系が配置されている。
【００５２】
結像光学系２０は、主走査方向に延びる複数のレンズ２３，２４によって構成されたｆθレンズ２５と、ｆθレンズ２５を透過したビーム光束を感光体ドラム１７に向けて反射する斜設ミラー２６と、感光体ドラム１７の前面に配置されたカバーガラス２７と、を備えている。
【００５３】
尚、ｆθレンズ２５は、例えば、回転多面鏡１８側に凹面を有する正メニスカスレンズ２３と、走査面側に凸球面を有し且つ主走査方向に正のパワーを有する面倒れ補正用のアナモルフィックレンズ２４と、で構成されている。また、斜設ミラー２６は、回転多面鏡１８と感光体ドラム１７との離間距離等に応じて、適宜配置される。
【００５４】
検出光学系２２は、回転多面鏡１８の反射面に入射したビーム光束の一部を反射するように有効画像領域の外側に配置した導光ミラー２８を備え、その導光ミラー２８で反射されたビーム光束を、例えば、特定の方向の偏光のみを透過させる偏光子（図示せず）、直線偏光を円偏光へと変換する１／４波長板（図示せず）、ビーム光束の位置ずれを補正するＳＯＳレンズ（図示せず）、等を経由して検出素子２１に受光させる。
【００５５】
尚、検出素子２１は、検出光学系２２の光路上で感光体ドラム１７と共役関係な位置に配備されており、光源から放射されて回転多面鏡１８で偏向されたビーム光束は、結像光学系２０によって走査領域へ向かって偏向するが、走査領域へ向かう途上においてｆθレンズ２５を構成する一方の正メニスカスレンズ２３を介して導光ミラー２８で反射され、検出素子２１に入射する。
【００５６】
この際、導光ミラー２８は、図４に示すように、その中心軸Ｇを回転中心として回転角αで回転した状態で配置されている。尚、図４（Ｂ）に示すように、導光ミラー２８は、上述した回転とは別に、傾斜状態（反射面倒れ状態）で配置されているが、この傾斜角度は、回転多面鏡１８と各感光体ドラム１７との相対位置等に応じて、その配置数を含めて任意である。
【００５７】
一方、導光ミラー２８は、図５及び図６に示すように、回転軸Ｇを中心とする回転角をα、導光ミラー２８の反射面２８ａと隣接する側面へのビーム光線の入射角度をθ、導光ミラー２８と感光体ドラム１７（本実施の形態においてはカバーガラス２７を基準、以下同じ）の接近側端部との距離をＭ、導光ミラー２８とカバーガラス２７の離間側端部との距離をＭ’、導光ミラー２８とカバーガラス２７との距離をＬ、としたとき、
（９０−θ）−α＞ａｒｃ  ｔａｎ（Ｌ／Ｍ）
α＞（９０−θ）−ａｒｃ  ｔａｎ（Ｌ／Ｍ）
（９０−θ）＋α＞ａｒｃ  ｔａｎ（Ｌ／Ｍ’）
α＞ａｒｃ  ｔａｎ（Ｌ／Ｍ’）−（９０−θ）
で表される回転角αとするのが好ましい。
【００５８】
これにより、導光ミラー２８の側面に導かれたビーム光束は、感光体ドラム１７から外れるように反射されるため、感光体ドラム１７に到達してフレア画像の発生となることが抑制される。
【００５９】
このように、本発明の走査光学装置によれば、導光ミラー２８の側面で反射された迷光を、反射防止部材を使用することなく感光体ドラム１７に照射されることを防ぎ、画像品質の劣化を防ぐことができる。
【００６０】
また、本発明の走査光学装置によれば、偏向面の有効利用率が向上するため、偏向面の小サイズ化が可能となり、偏向器（回転多面鏡１８）の低コスト化が可能となる。また、結像光学系２０と検出光学系２２とを狭小に設計することが可能となるため、レンズ等の光学部品の小サイズ化並びに低コスト化が可能となる。
【００６１】
ところで、上記実施の形態では、本発明の走査光学装置をタンデム方式のフルカラープリンタに適用して説明したが、例えば、複写機や複合機等の画像形成装置全般に適用することができ、しかも、カラー／モノクロの何れに限定されるものでもない。
【図面の簡単な説明】
【００６２】
【図１】本発明の一実施形態に係る走査光学装置を搭載した画像形成装置の説明図である。
【図２】本発明の一実施形態に係る走査光学装置における光学系の説明図である。
【図３】本発明の一実施形態に係る走査光学装置を搭載した画像形成装置の画像形成部の説明図である。
【図４】本発明の一実施形態に係る走査光学装置における導光ミラーの回転状態を示し、（Ａ）は斜視図、（Ｂ）は側面図、（Ｃ）は正面図である。
【図５】本発明の一実施形態に係る走査光学装置における光学系の作用説明図である。
【図６】本発明の一実施形態に係る走査光学装置における光学系の他の作用説明図である。
【図７】従来に係る走査光学装置における光学系の迷光発生の説明図である。
【図８】従来に係る走査光学装置における光学系の説明図である。
【符号の説明】
【００６３】
１７…感光体ドラム（被走査面）
１８…回転多面鏡（偏向器）
２０…結像光学系
２１…検出素子
２２…検出光学系
２７…カバーガラス
２８…導光ミラー
【図１】
2010048856.tif 000003
【図２】
2010048856.tif 000004
【図３】
2010048856.tif 000005
【図４】
2010048856.tif 000006
【図５】
2010048856.tif 000007
【図６】
2010048856.tif 000008
【図７】
2010048856.tif 000009
【図８】
2010048856.tif 000010